(57)【要約】      （修正有）【課題】クローゼット内部の前半部分は洋服などの掛け部とし、クローゼット内部の後半部分は棚板を設けて折り畳んだ洋服などや附属品の載置部とし、クローゼット内部の下方の空間は、例えば布団などの収納空間として使用できる、居住者の年齢や家族構成或いは好みに対応した使用勝手のよい住宅内に設けられたクローゼットの構造を提供する。【解決手段】クローゼット２内部の前半部分３の上方位置には、クローゼット２の左右側壁面６，６間に渡設されるハンガーパイプよりなるハンガー棒５が設けられ、クローゼット２内部の後半部分４の後壁面７に沿った上方位置から中間位置には、左右方向に上下複数段の棚板が設けられ、上下複数段の棚板のうち、最上段の上段棚板８の前後幅は、上段棚板８の下方の棚板の前後幅よりも幅広とされ、ハンガー棒５の高さ位置は上段棚板８の高さ位置よりも低い位置とされ、上下複数段の棚板のうち、最下段の下段棚板１０とクローゼット２内部の底板１１との間は収納空間とされている。【選択図】図１
0003205182.tif 000002
【実用新案登録請求の範囲】
【請求項１】
住宅室内に設けられるクローゼットの内部構造において、
クローゼット内部の前半部分の上方位置には、クローゼットの左右側壁面間に渡設されるハンガー棒が設けられ、
クローゼット内部の後半部分の後壁面に沿った上方位置から中間位置には、左右方向に上下複数段の棚板が設けられ、
上下複数段の棚板のうち、最上段の上段棚板の前後幅は、上段棚板の下方の棚板の前後幅よりも幅広とされ、ハンガー棒の高さ位置は上段棚板の高さ位置よりも低い位置とされ、上下複数段の棚板のうち、最下段の下段棚板とクローゼット内部の底板との間は収納空間とされていることを特徴とするクローゼットの構造。
【請求項２】
前記上下複数段の棚板は、前記最上段の上段棚板と、上段棚板の下方の中段棚板と、最下段の下段棚板との三段構成とされていることを特徴とする請求項１記載のクローゼットの構造。
【請求項３】
前記クローゼット内部の前後幅は略900 mm、クローゼット内部の後壁面から前記ハンガー棒までの前後長さは略600 mm、前記上段棚板の前後幅は略450 mm、上段棚板の下方の棚板の前後幅は略300 mm、最下段の前記下段棚板とクローゼット内部の底板との間の前記収納空間の上下長さは略1100mmとされている請求項１又は２に記載のクローゼット構造。
【請求項４】
住宅室内に設けられるクローゼットの内部構造において、
クローゼット内部の前半部分の上方位置には、クローゼットの左右側壁面間に渡設されるハンガー棒が設けられ、
クローゼット内部の後半部分の後壁面に沿った上方位置から中間位置には、左右方向に上下複数段の棚板が設けられ、
前記上下複数段の各棚板の前後幅は、略同幅とされ、ハンガー棒の高さ位置は上下複数段の棚板のうち上段棚板の高さ位置よりも低い位置とされ、最下段棚板とクローゼット内部の底板との間は収納空間とされているクローゼットの構造。
【考案の詳細な説明】
【技術分野】
【０００１】
本考案は、マンションなどの集合住宅、或いは戸建て住宅の居室内に建て付けて設けられるクローゼットの構造に関する。本考案のクローゼットの構造は、新築住宅の他、リフォームによっても有効に適応される。
【背景技術】
【０００２】
住宅の居室内に建て付けて設けられるクローゼットの内部構造については、居住者の年齢や家族構成に対応して有効に使用できるように種々の要請がある。
例えば、クローゼットの内部の上方位置に洋服を掛けるハンガーパイプを設けた従来のクローゼットは、その前後幅が短く、例えば布団などを収納するには不便である。
また、主として布団などを収納する従来の押入は、洋服を収納する構造にはなっていない。このような従来の押入をリフォームすることにより、上方位置に洋服を掛けるハンガーパイプを設けたクローゼットの構造にすることも可能であるが、無駄な空間が多くなり非効率になりやすい。
【０００３】
下記特許文献１には、クローゼットの後壁面に上下二段、左右四列に仕切られたボックス型の収納棚を設け、収納棚の上板の左右前方に突出したブラケットアームの先端間にハンガーパイプを掛け渡したクローゼットの構造が示されている。収納棚の下方の空間には、洋服収納用の引き出しワゴンを設けている。
【０００４】
特許文献１のクローゼットの構造では、収納棚とハンガーパイプが一体であり、その取り付け位置が相互に規制され、収納棚の前後幅を長くすると、ハンガーパイプに掛けられる洋服のサイズが規制される。
【先行技術文献】
【特許文献】
【０００５】
【特許文献１】特開２００５−２６１５８０号公報
【考案の概要】
【考案が解決しようとする課題】
【０００６】
本考案は、上記の点に鑑み、住宅内に建て付けて設けられたクローゼットの内部構造において、クローゼット内部の前半部分にはハンガーパイプを設けて洋服などの掛け部とし、クローゼット内部の後半部分には棚板を設けて折り畳んだ洋服などや附属品の載置部とし、クローゼット内部の下方の空間は、例えば布団などの収納空間として使用できる、居住者の年齢や家族構成或いは好みに対応した使用勝手のよいクローゼットの構造を提供することを目的としている。
【０００７】
さらに、本考案は、従来の押入をリフォームにより容易に洋服などを掛けて収納することができる使用勝手のよいクローゼットに変更することを可能とした構造を提供することを目的としている。
【課題を解決するための手段】
【０００８】
前記目的を達成するための手段を、図の実施形態を参照して説明する。
請求項１又は２に係る本考案は、住宅１（１’）室内に設けられるクローゼット２の内部構造において、クローゼット２内部の前半部分３の上方位置には、クローゼット２の左右側壁面６，６間に渡設されるハンガーパイプよりなるハンガー棒５が設けられ、クローゼット２内部の後半部分４の後壁面７に沿った上方位置から中間位置には、左右方向に上下複数段の棚板が設けられ、上下複数段の棚板のうち、最上段の上段棚板８の前後幅は、上段棚板８の下方の棚板（中段棚板９、下段棚板１０）の前後幅よりも幅広とされ、ハンガー棒５の高さ位置は上段棚板８の高さ位置よりも低い位置とされ、上下複数段の棚板のうち、最下段の下段棚板１０とクローゼット２内部の底板１１との間は収納空間１２とされていることを特徴とするクローゼットの構造にある。
【０００９】
請求項３に係る本考案では、前記クローゼット２内部の前後幅は略900 mm、クローゼット２内部の前記後壁面７から前記ハンガー棒５までの前後長さは略600 mm、前記上段棚板８の前後幅は略450 mm、上段棚板８の下方の棚板（中段棚板９、下段棚板１０）の前後幅は略300 mm、最下段の前記下段棚板１０とクローゼット２内部の底板１１との間の前記収納空間１２の上下長さは略1100mmとされている。
【００１０】
上記クローゼットの内部構造では、ハンガー棒５を有する前半部分３には、充分な前後幅と上下幅の空間が確保されることから、ハンガーｈを介して、ロングドレスやコート類等の丈の長い洋服類等でも充分に収納可能である。ハンガー棒５背部の後半部分４の下方の棚板（中段棚板９、下段棚板１０）には、バックや帽子などの服飾附属品や季節ものの衣類などを折り畳んで収納できる。上段棚板８は、ハンガー棒５の上方位置であって、上段棚板８の前後幅は、ハンガー棒５の渡設位置に係わらず長く形成することができることから、服飾附属品や衣類の他、整理箱などを載置して収納できる。また、下方の収納空間１２には、必要に応じて布団などを折り畳んで収納できる。
【００１１】
請求項４に係る本考案は、住宅室内に設けられるクローゼット１０２の内部構造において、クローゼット１０２内部の前半部分３の上方位置には、クローゼット１０２の左右側壁面６，６間に渡設されるハンガーパイプよりなるハンガー棒５が設けられ、クローゼット１０２内部の後半部分４の後壁面７に沿った上方位置から中間位置には、左右方向に上下複数段の棚板が設けられ、前記上下複数段の各棚板（上段棚板１０８、中段棚板９、下段棚板１０）の前後幅は、略同幅とされ、ハンガー棒５の高さ位置は上下複数段の棚板のうち上段棚板１０８の高さ位置よりも低い位置とされ、最下段棚板１０とクローゼット１０２内部の底板１１との間は収納空間１２とされているクローゼットの構造にある。
【００１２】
上記クローゼットの内部構造に機能及び各部の寸法は、上段棚板１０８の前後幅が、中段棚板９及び下段棚板１０の前後幅と同等の略300 mmである点を除き、上記請求項１乃至３のクローゼットの構造と同等である。
【００１３】
上記各請求項に係るクローゼットの構造において、上段棚板８の下方の棚板の数及び間隔は任意であって、一段であっても、二段以上の複数段であってもよい。
【考案の効果】
【００１４】
本考案に係る上記クローゼットの構造では、ハンガー棒を有する前半部分には、充分な前後幅と上下幅の空間が確保されることから、ハンガーを介して、ロングドレスやコート類等の丈の長い洋服類等でも充分に収納可能である。ハンガー棒背部の後半部分の下方の棚板には、バックや帽子などの服飾附属品や季節ものの衣類などを折り畳んで収納できる。上段棚板は、ハンガー棒の上方位置であって、ハンガー棒に邪魔をされることがないことから、服飾附属品や衣類の他、整理箱などを載置して収納できる。また、下方の収納空間には、必要に応じて布団などを折り畳んで収納できる。
このように、本考案では、クローゼットの内部、特に、従来の押入と同様の前後に広幅のクローゼットの内部を、居住者の年齢や家族構成或いは好みに対応して有効に利用でき、使用勝手のよいクローゼットの構造とすることができる。
【００１５】
本考案に係るクローゼットの構造では、ハンガー棒の高さ位置は上段棚板の高さ位置よりも低い位置とされることから、請求項１乃至３のように、上段棚板の前後幅が下方の棚板よりも広い場合であっても、ハンガー棒下方の収納空間の幅を充分に長くとることができ、ロングドレスやコート類等の丈の長い洋服類等でも充分に収納することができる。請求項１乃至３の構造では、上段棚板の前後幅は、下方の棚板の前後幅よりも幅広とされているところから、ハンガー棒に邪魔をされることがなく、服飾附属品や衣類の他、整理箱などを載置して有効に利用できる。
【００１６】
さらに、本考案に係るクローゼットの構造では、従来の押入を、新築時施主の要望により又はリフォームにより容易に使用勝手のよいクローゼットに変更することが可能であり、新築住宅の他、リフォームによっても有効に実施させることができるという効果がある。
【図面の簡単な説明】
【００１７】
【図１】本考案にかかるクローゼットの内部構造を示す側面図（Ａ）と平面図（Ｂ）である。
【図２】本考案にかかるクローゼットが設けられた集合住宅の部屋内部の平面図である。
【図３】本考案にかかるクローゼットが設けられた集合住宅の他の例の部屋内部の平面図である。
【図４】本考案にかかるクローゼットの内部構造の変形例を示す側面図（Ａ）と平面図（Ｂ）である。
【考案を実施するための形態】
【００１８】
以下、本考案を適用した実施形態例を図１〜図４を参照して説明する。
（実施形態１）
図１、図２及び図３は、本考案の実施形態１を示す。
実施形態１では、住宅１（１’）室内に設けられるクローゼット２の内部構造において、クローゼット２内部の前半部分３の上方位置には、クローゼット２の左右側壁面６，６間に渡設されるハンガーパイプよりなるハンガー棒５が設けられる。クローゼット２内部の後半部分４の後壁面７に沿った上方位置から中間位置には、左右方向に上下複数段の棚板が設けられ、上下複数段の棚板のうち、最上段の上段棚板８の前後幅は、上段棚板８の下方の棚板（中段棚板９、下段棚板１０）の前後幅よりも幅広とされ、ハンガー棒５の高さ位置は上段棚板８の高さ位置よりも低い位置とされ、上下複数段の棚板のうち、最下段の下段棚板１０とクローゼット２内部の底板１１との間は収納空間１２とされている。
クローゼット２の前面開口は、左右の折れ戸１３，１３により開閉される。左右の折れ戸１３は、二つ折れ戸であり、開放時、クローゼット２の前面開口の左右側壁部の前方に突出するようにして折り畳み状に突出する。
【００１９】
上段棚板８、中段棚板９及び下段棚板１０は、この実施形態１では、合板による固定棚板である。
各棚板は、着脱自在の可動棚であってもよい。上段棚板８の下方の棚板の数及び間隔は、任意に調整せることができ、一段であっても、二段以上の複数段であってもよい。    
【００２０】
クローゼット２の各部の具体的寸法間隔の一例は、図中に付記されており、クローゼット２内部の前後幅は略900 mm、クローゼット２内部の後壁面７からハンガー棒５までの前後長さは略600 mm、上段棚板８の前後幅は略450 mm、上段棚板８の下方の棚板（中段棚板９、下段棚板１０）の前後幅は略300 mm、最下段の前記下段棚板１０とクローゼット２内部の底板１１との間の前記収納空間１２の上下長さは略1100mmとされている。クローゼット２の間口幅は、略1320mmとされている。
【００２１】
図２は、実施形態１に係るクローゼット２が設けられた、３ＬＤＫタイプのマンションである集合住宅１の一例である。
クローゼット２は、洋室（１）から開閉するように設けられている。
このクローゼット２は、従来の押入に換えて設けられ、新築或いはリフォームにより、施主の要望に応じて設けられる。
【００２２】
図３は、実施形態１に係るクローゼット２が設けられた、３ＬＤＫタイプのマンションである集合住宅１’の他の例である。
クローゼット２は、洋室（２）から開閉するように設けられている。
このクローゼット２は、従来の押入れに換えて設けられ、新築或いはリフォームにより、施主の要望に応じて設けられる。
【００２３】
上記実施形態１のクローゼットの内部構造では、ハンガー棒５を有する前半部分３には、充分な前後幅と上下幅の空間が確保されることから、ハンガーｈを介して、ロングドレスやコート類等の丈の長い洋服類等でも充分に収納可能である。ハンガー棒５背部の後半部分４の下方の棚板（中段棚板９、下段棚板１０）には、バックや帽子などの服飾附属品や季節ものの衣類などを折り畳んで収納できる。上段棚板８は、ハンガー棒５の上方位置であって、上段棚板８の前後幅は、ハンガー棒５の渡設位置に係わらず長く形成することができることから、服飾附属品や衣類の他、整理箱などを載置して収納できる。また、下方の収納空間１２には、必要に応じて布団などを折り畳んで収納できる。
【００２４】
（実施形態２）
図４は、本考案の実施形態２を示す。
実施形態２のクローゼット１０２の内部構造の機能及び各部の寸法は、上段棚板１０８の前後幅が、中段棚板９及び下段棚板１０の前後幅と同等の略300 mmである点を除き、上記実施形態１のクローゼット２の構造と同等である。
実施形態２の図４において、実施形態１と対応する構成部分には、共通の符号を付してその詳細な説明は省略する。
【符号の説明】
【００２５】
１（１’）  住宅
２，１０２  クローゼット
３  前半部分
４  後半部分
５  ハンガー棒
６  側壁面
７  後壁面
８，１０８    上段棚板
９    中段棚板
１０  下段棚板
１１  底板
１２  収納空間
１３  折れ戸
ｈ    ハンガー
【図１】
0003205182.tif 000003
【図２】
0003205182.tif 000004
【図３】
0003205182.tif 000005
【図４】
0003205182.tif 000006